【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
防災受信盤に火災検知器が接続され、前記火災検知器が検知エリアの放射線を観測して火災を判断した場合に、前記防災受信盤に火災信号を送信し、前記防災受信盤で当該火災信号を受信して音響警報の出力を含む所定の火災警報動作を行うトンネル防災設備の試験システムに於いて、
炎試験光と試験復旧光を前記火災検知器に照射するテスタを備え、
前記火災検知器が前記テスタからの前記炎試験光の受光により火災を判断した場合に、前記防災受信盤の警報動作を行うと共に、前記火災検知器が前記テスタからの前記試験復旧光を受光した場合に、前記防災受信盤の前記警報動作を復旧することを特徴とするトンネル防災設備の試験システム。
【請求項２】
請求項１記載のトンネル防災設備の試験システムに於いて、
前記テスタは、自機に対し所定の試験開始操作が行われた場合に、前記火災検知器に前記炎試験光を照射し、所定の試験復旧操作を行った場合に前記試験復旧光を前記火災検知器に照射し、
前記火災検知器は、前記テスタから照射された前記炎試験光の受光により火災を判断した場合に、火災信号を前記防災受信盤へ送信し、前記テスタから照射された前記試験復旧光の受光により復旧指示を判断した場合に、遠隔復旧信号を前記防災受信盤へ送信し、
前記防災受信盤は、前記火災検知器から前記火災信号を受信した場合に、火災警報動作を行い、前記火災警報動作中に前記火災検知器から前記遠隔復旧信号を受信した場合に、前記火災警報動作を復旧することを特徴とするトンネル防災設備の試験システム。
【請求項３】
請求項１又は２記載のトンネル防災設備の試験システムに於いて、
前記テスタは、自機に対し所定の試験開始操作が行われた場合に、前記火災検知器に前記炎試験光を照射する前に所定の試験開始光を照射し、
前記火災検知器は、前記テスタから照射された前記試験開始光の受光により試験開始指示を判断し、続いて前記テスタから照射された前記炎試験光の受光により火災を判断した場合に、所定の試験情報が設定された火災信号を前記防災受信盤へ送信し、
前記防災受信盤は、前記火災検知器から前記試験情報が設定された火災信号を受信した場合に、外部機器との連動及び外部機器への移報を解除した火災警報動作を行うことを特徴とするトンネル防災設備の試験システム。
【請求項４】
請求項３記載のトンネル防災設備の試験システムに於いて、
前記テスタは、
前記炎試験光として、炎の波長帯域を含み且つ炎に固有な所定のゆらぎ周波数で変化する光を照射し、
前記試験開始光として、前記炎試験光のゆらぎ周波数とは異なる周波数の光を照射し、
前記試験復旧光として、前記炎試験光のゆらぎ周波数及び前記試験開始光の周波数とは異なる周波数の光を照射することを特徴とするトンネル防災設備の試験システム。
【請求項５】
請求項１乃至４の何れかに記載のトンネル防災設備の試験システムに於いて、
前記火災検知器は、発報表示灯を備え、前記テスタからの前記炎試験光の受光により火災を判断した場合に、前記発報表示灯を作動して火災発報を表示し、前記テスタからの前記試験復旧光を受光した場合に、前記発報表示灯を消灯することを特徴とするトンネル防災設備の試験システム。
【請求項６】
請求項１乃至４の何れかに記載のトンネル防災設備の試験システムに於いて、
前記火災検知器は、発報表示灯を備え、前記防災受信盤で火災信号の蓄積受信が行われる場合、
前記テスタからの前記炎試験光の受光により火災を判断した場合に、前記発報表示灯に火災発報を表示し、
前記防災受信盤から復旧信号を受信して所定の蓄積時間のあいだ火災判断を停止する場合に、前記発報表示灯に蓄積中を表示し、
前記蓄積時間経過後に再度自器から火災信号を送信した場合に、前記防災受信盤から送信される火災確定信号を受信して前記発報表示灯に前記防災受信盤の火災警報動作を表示し、
前記テスタからの前記試験復旧光を受光した場合に、前記発報表示灯を消灯する、
ことを特徴とするトンネル防災設備の試験システム。
【請求項７】
請求項１乃至６の何れかに記載のトンネル防災設備の試験システムに於いて、更に、
前記防災受信盤に接続され、前記防災受信盤の音響出力をマイクにより入力して音響信号に変換し、当該音響信号を非常電話回線に送信する通話入力装置と、
前記トンネル内に設置された非常電話設備に接続され、前記通話入力装置により前記非常電話回線に送信された前記防災受信盤の音響信号を受信してスピーカから再生出力する通話出力装置と、
を備えたことを特徴とするトンネル防災設備の試験システム。
【手続補正２】
【補正対象書類名】明細書
【補正対象項目名】００１０
【補正方法】変更
【補正の内容】
【００１０】
（トンネル防災設備の試験システム）
本発明は、防災受信盤に火災検知器が接続され、火災検知器が検知エリアの放射線を観測して火災を判断した場合に、防災受信盤に火災信号を送信し、防災受信盤で当該火災信号を受信して音響警報の出力を含む所定の火災警報動作を行うトンネル防災設備の試験システムに於いて、
炎試験光と試験復旧光を火災検知器に照射するテスタを備え、
火災検知器がテスタからの炎試験光の受光により火災を判断した場合に、防災受信盤の警報動作を行うと共に、火災検知器がテスタからの試験復旧光を受光した場合に、防災受信盤の警報動作を復旧することを特徴とする。
【手続補正３】
【補正対象書類名】明細書
【補正対象項目名】００１１
【補正方法】変更
【補正の内容】
【００１１】
（テスタ、火災検知器及び防災受信盤の機能）
テスタは、自機に対し所定の試験開始操作が行われた場合に、火災検知器に炎試験光を照射し、所定の試験復旧操作を行った場合に試験復旧光を火災検知器に照射し、
火災検知器は、テスタから照射された炎試験光の受光により火災を判断した場合に、火災信号を防災受信盤へ送信し、テスタから照射された試験復旧光の受光により復旧指示を判断した場合に、遠隔復旧信号を防災受信盤へ送信し、
防災受信盤は、火災検知器から火災信号を受信した場合に、火災警報動作を行い、火災警報動作中に火災検知器から遠隔復旧信号を受信した場合に、火災警報動作を復旧する。
【手続補正４】
【補正対象書類名】明細書
【補正対象項目名】００１２
【補正方法】変更
【補正の内容】
【００１２】
（トンネル内での防災受信盤の音響出力）
トンネル防災設備の試験システムは、更に、
防災受信盤に接続され、防災受信盤の音響出力をマイクにより入力して音響信号に変換し、当該音響信号を非常電話回線に送信する通話入力装置と、
トンネル内に設置された非常電話設備に接続され、通話入力装置により非常電話回線に送信された防災受信盤の音響信号を受信してスピーカから再生出力する通話出力装置と、
を備える。
【手続補正５】
【補正対象書類名】明細書
【補正対象項目名】００１３
【補正方法】変更
【補正の内容】
【００１３】
（火災検知器に対する試験モードの設定）
テスタは、自機に対し所定の試験開始操作が行われた場合に、火災検知器に炎試験光を照射する前に所定の試験開始光を照射し、
火災検知器は、テスタから照射された試験開始光の受光により試験開始指示を判断し、続いてテスタから照射された炎試験光の受光により火災を判断した場合に、所定の試験情報が設定された火災信号を防災受信盤へ送信し、
防災受信盤は、火災検知器から試験情報が設定された火災信号を受信した場合に、外部機器の連動及び移報を解除した火災警報動作を行う
【手続補正６】
【補正対象書類名】明細書
【補正対象項目名】００１４
【補正方法】変更
【補正の内容】
【００１４】
（テスタの試験開始光、炎試験光、試験復旧光）
テスタは、
炎試験光として、炎の波長帯域を含み且つ炎に固有な所定のゆらぎ周波数で強度が変化する光を照射し、
試験開始光として、炎試験光のゆらぎ周波数とは異なる周波数の光を照射し、
試験復旧光として、炎試験光のゆらぎ周波数及び試験開始光の周波数とは異なる周波数の光を照射する。
【手続補正７】
【補正対象書類名】明細書
【補正対象項目名】００１６
【補正方法】変更
【補正の内容】
【００１６】
（火災検知器の発報表示灯）
火災検知器は、発報表示灯を備え、テスタからの炎試験光の受光により火災を判断した場合に、発報表示灯を作動して火災発報を表示し、テスタからの試験復旧光を受光した場合に、発報表示灯を消灯する。
【手続補正８】
【補正対象書類名】明細書
【補正対象項目名】００１７
【補正方法】変更
【補正の内容】
【００１７】
（蓄積受信に伴う発報表示灯の作動）
火災検知器は、発報表示灯を備え、防災受信盤で火災信号の蓄積受信が行われる場合、
テスタからの炎試験光の受光により火災を判断した場合に、発報表示灯に火災発報を表示し、
防災受信盤から復旧信号を受信して所定の蓄積時間のあいだ火災判断を停止する場合に、発報表示灯に蓄積中を表示し、
蓄積時間経過後に再度自器から火災信号を送信した場合に、防災受信盤から送信される火災確定信号を受信して発報表示灯に防災受信盤の火災警報動作を表示し、
テスタからの試験復旧光を受光した場合に、発報表示灯を消灯する。
【手続補正９】
【補正対象書類名】明細書
【補正対象項目名】００１９
【補正方法】変更
【補正の内容】
【００１９】
（基本的な効果）
本発明は、防災受信盤に火災検知器が接続され、火災検知器が検知エリアの放射線を観測して火災を判断した場合に、防災受信盤に火災信号を送信し、防災受信盤で当該火災信号を受信して音響警報の出力を含む所定の火災警報動作を行うトンネル防災設備の試験システムに於いて、炎試験光と試験復旧光を火災検知器に照射するテスタを備え、火災検知器がテスタからの炎試験光の受光により火災を判断した場合に、防災受信盤の警報動作を行うと共に、火災検知器がテスタからの試験復旧光を受光した場合に、防災受信盤の警報動作を復旧するようにしたため、トンネル内に設置された火災検知器を試験する場合、試験員はテスタから試験光を火災検知器に照射して防災受信盤から火災警報が出力されたことを確認した場合、テスタから試験復旧光を照射することで防災受信盤の警報動作を復旧させることができ、防災受信盤側に連絡して警報動作を復旧させる手間が不要となり、試験作業に要する手間と時間が低減され、試験員も少なくて済むことから人的なコストも低減可能となる。
【手続補正１０】
【補正対象書類名】明細書
【補正対象項目名】００２０
【補正方法】変更
【補正の内容】
【００２０】
（テスタ、火災検知器及び防災受信盤の機能による効果）
また、テスタは、自機に対し所定の試験開始操作が行われた場合に、火災検知器に炎試験光を照射し、所定の試験復旧操作を行った場合に試験復旧光を火災検知器に照射し、火災検知器は、テスタから照射された炎試験光の受光により火災を判断した場合に、火災信号を防災受信盤へ送信し、テスタから照射された試験復旧光の受光により復旧指示を判断した場合に、遠隔復旧信号を防災受信盤へ送信し、防災受信盤は、火災検知器から火災信号を受信した場合に、火災警報動作を行い、火災警報動作中に火災検知器から遠隔復旧信号を受信した場合に、火災警報動作を復旧するようにしたため、試験員がテスタを使用して炎試験光を火災検知器に照射すると、試験発報により火災信号が防災受信盤に送信され、防災受信盤は例えば試験モードを予め設定しておくことで、火災信号の受信により外部機器との連動を解除した火災警報動作により火災警報音を出力させ、試験員は防災受信盤の火災警報動作を確認した場合はテスタから試験復旧光を照射することで、火災検知器から遠隔復旧信号が防災受信盤に送られて警報音が停止し、防災受信盤の復旧を確認して次の火災検知器の試験に移ることができる。
【手続補正１１】
【補正対象書類名】明細書
【補正対象項目名】００２１
【補正方法】変更
【補正の内容】
【００２１】
（トンネル内での防災受信盤の音響出力による効果）
また、トンネル防災設備の試験システムは、更に、防災受信盤に接続され、防災受信盤の音響出力をマイクにより入力して音響信号に変換し、当該音響信号を非常電話回線に送信する通話入力装置と、トンネル内に設置された非常電話設備に接続され、通話入力装置により非常電話回線に送信された防災受信盤の音響信号を受信してスピーカから再生出力する通話出力装置とを備えたため、トンネル内に設置された火災検知器をテスタを使用して試験する場合、試験に先立ち、防災受信盤に通話入力装置を接続すると共に、トンネル内の試験場所に近い非常電話設備に通話出力装置を接続して動作状態とし、この状態で試験員がテスタを使用して火災検知器の発報試験を行って防災受信盤から火災警報音が出力されると、この火災警報音は通話入力装置から非常電話回線を介してトンネル内の通話出力装置に送られてスピーカから出力されることで、試験員は防災受信盤の火災警報動作を確認でき、続いて、テスタから試験復旧光を照射して防災受信盤を復旧させることで警報音が停止すると、試験員は通話出力装置のスピーカからの警報音の停止により防災受信盤の復旧を確認して次の火災検知器の試験に移ることができ、試験員１名によって火災感知器のテスタを使用した火災発報試験が可能となる。
【手続補正１２】
【補正対象書類名】明細書
【補正対象項目名】００２２
【補正方法】変更
【補正の内容】
【００２２】
（火災検知器に対する試験モードの設定による効果）
また、テスタは、自機に対し所定の試験開始操作が行われた場合に、火災検知器に炎試験光を照射する前に所定の試験開始光を照射し、火災検知器は、テスタから照射された試験開始光の受光により試験開始指示を判断し、続いてテスタから照射された炎試験光の受光により火災を判断した場合に、所定の試験情報が設定された火災信号を防災受信盤へ送信し、防災受信盤は、火災検知器から試験情報が設定された火災信号を受信した場合に、外部機器の連動及び移報を解除した火災警報動作を行うようにしたため、防災受信盤の操作により試験モードを設定して外部機器との連動や移報を解除しておかなくとも、試験情報が設定された火災信号を受信することで、試験発報による火災信号の受信であることが認識され、自動的に外部機器との連動や移報を解除した火災警報動作が可能となる。また、発報試験を行った火災検知器からの火災信号よる火災警報動作中に、他の火災検知器で真の火災による炎が検知されて火災信号が送信された場合、この火災信号には試験情報が設定されていないことから、外部機器の連動制御や移報を解除することなく、真の火災に対し適切な火災警報動作が行われ、火災検知器の発報試験を行っていても、火災監視機能が損なわれることはない。
【手続補正１３】
【補正対象書類名】明細書
【補正対象項目名】００２３
【補正方法】変更
【補正の内容】
【００２３】
（テスタの試験開始光、炎試験光、試験復旧光による効果）
また、テスタは、炎試験光として、炎の波長帯域を含み且つ炎に固有な所定のゆらぎ周波数で強度が変化する光を照射し、試験開始光として、炎試験光のゆらぎ周波数とは異なる周波数の光を照射し、試験復旧光として、炎試験光のゆらぎ周波数及び試験開始光の周波数とは異なる周波数の光を照射するようにしているため、火災検知器に対する試験開始、発報試験、試験復旧といった一連の操作がテスタの操作により可能となり、火災検知器側に試験員が１名付くだけで、防災受信盤と連携した火災検知器の火災発報試験を効率的に進めることを可能とする。
【手続補正１４】
【補正対象書類名】明細書
【補正対象項目名】００２５
【補正方法】変更
【補正の内容】
【００２５】
（火災検知器の発報表示灯による効果）
また、火災検知器は、発報表示灯を備え、テスタからの炎試験光の受光により火災を判断した場合に、発報表示灯を作動して火災発報を表示し、テスタからの試験復旧光を受光した場合に、発報表示灯を消灯するようにしているため、トンネル内の非常電話設備に接続している通話出力装置のスピーカ出力と合わせて、火災検知器の発報表示灯の表示状態からも、試験発報、防災受信盤の火災警報動作と復旧動作等を確認が可能となる。
【手続補正１５】
【補正対象書類名】明細書
【補正対象項目名】００２６
【補正方法】変更
【補正の内容】
【００２６】
（蓄積受信に伴う発報表示灯の作動による効果）
また、火災検知器は、発報表示灯を備え、防災受信盤で火災信号の蓄積受信が行われる場合、テスタからの炎試験光の受光により火災を判断した場合に、発報表示灯に火災発報を表示し、防災受信盤から復旧信号を受信して所定の蓄積時間のあいだ火災判断を停止する場合に発報表示灯に蓄積中を表示し、蓄積時間経過後に再度自器から火災信号を送信した場合に、防災受信盤から送信される火災確定信号を受信して発報表示灯に防災受信盤の火災警報動作を表示し、テスタからの試験復旧光を受光した場合に、発報表示灯を消灯するようにしたため、テスタを用いた試験員１名による火災検知器の発報試験において、通話出力装置の音響出力に加え、火災検知器の試験発報に伴う防災受信盤の蓄積受信による火災警報動作が発報表示灯の表示から簡単且つ容易に確認可能となる。
【手続補正１６】
【補正対象書類名】明細書
【補正対象項目名】０１４８
【補正方法】変更
【補正の内容】
【０１４８】
１ａ：上り線トンネル
１ｂ：下り線トンネル
１０：防災受信盤
１２：火災検知器
１４：伝送路
１５：非常電話回線
１６：非常電話機
１７，３７：電話ジャック
１８：消火ポンプ設備
２０：冷却ポンプ設備
２２：ＩＧ子局設備
２４：換気設備
２５：警報表示板設備
２６：ラジオ再放送設備
２８：テレビ監視設備
３０：照明設備
３２：遠方監視制御設備
３４：試験員
３６：テスタ
３８：通話入力装置
４０：通話出力装置
４２：盤制御部
４４，７０：伝送部
６０：筐体
６２：センサ収納部
６４Ｒ，６４Ｌ：透光性窓
６６Ｒ，６６Ｌ：試験光源用透光窓
６８：検知器制御部
７２Ｒ，７２Ｌ：火災検知部
７４，７８：センサ部
７６，８０，８８：増幅処理部
８２，１００Ｒ，１００Ｌ：発光駆動部
８４Ｒ，８４Ｌ，８５Ｒ，８５Ｌ：内部試験光源
８６Ｒ，８６Ｌ：外部試験光源
９０Ｒ，９０Ｌ：発報表示灯
９２：テスタ筐体
９４Ｒ，９４Ｌ：試験光源窓
９５：電源スイッチ
９６Ｌ，９６Ｌ：試験スイッチ
９８Ｒ，９８Ｌ：試験復旧スイッチ
１０１：テスタ制御部
１０２Ｒ，１０２Ｌ：試験光源
１０８，１１４：フィルタ
１１０，１１６：プリアンプ
１１２，１１８：メインアンプ